(57)【要約】【課題】スピーカーを備える薄型表示装置において、スピーカーが配置されるスペースを利用して無線通信ユニットを取り付けることができる技術を提供する。【解決手段】一方の第１のスピーカーボックス４５の内部にはＩＲユニット７０が配置される。具体的には、カバー本体２１の裏面の所定の領域にリブ状のアタッチメント配置部２５が形成されている。アタッチメント配置部２５にＩＲユニット７０が取り付けられたアタッチメント６０が固定される。アタッチメント６０は、アタッチメントベース部６１から延出する第１及び第２の固定用リブ６２の先端にＩＲユニット７０を取り付けている。その結果、ＩＲユニット７０の送受信素子は、ＩＲ用カバー７５の近傍ぎりぎりに配置されている。【選択図】図４
2014233034.tif 000002
【特許請求の範囲】
【請求項１】
表示部の外縁のキャビネットと、
前記キャビネットの背面を覆うように配置されるスピーカーボックスと、
前記キャビネットと前記スピーカーボックスとに囲まれる領域の内部に配置される無線通信ユニットと、
前記無線通信ユニットを固定するためのアタッチメントと、
を有し、
前記アタッチメントが、前記スピーカーボックス及び前記キャビネットを備えて構成するエンクロージャーの一部の構成となって、前記エンクロージャーの密閉を確保している
ことを特徴とする薄型表示装置。
【請求項２】
前記アタッチメントは、前記キャビネットに固定されるアタッチメントベース部と、前記アタッチメントベース部から延出し端部に前記無線通信ユニットを固定する固定用リブとを有することを特徴とする請求項１に記載の薄型表示装置。
【発明の詳細な説明】
【技術分野】
【０００１】
本発明は、薄型表示装置において無線通信ユニットを固定する技術に関する。
【背景技術】
【０００２】
液晶テレビに代表される薄型表示装置において、リモコン通信等の無線通信に用いられる無線通信ユニットは、表示装置本体正面のフロントキャビ下部の樹脂製の額縁内に配置されることが多い。
【０００３】
しかしながら、近年、表示装置の薄型化・軽量化・狭額縁化の進展が一層進む状況にある。そのような状況にあっては、無線通信ユニットが従来配置されていた空間が狭くなり、取り付けスペースの確保が困難になってきていた。また、近年では、リモコン通信の他に３Ｄ映像用の同期信号の送受信や無線ＬＡＮ、ブルトゥース通信（登録商標）が行われるようになっており、それらの無線通信ユニットの配置スペースの確保が重要になってきている。
【０００４】
無線通信ユニット等の配置に関して、スペースの有効活用の観点で各種の技術が提案されている。例えば、信号源の光ビームを受光する受光装置をスピーカーボックスに内蔵し、その指向性を広げることを目的として技術がある（例えば、特許文献１参照）。より具体的には、Ｌ型に形成した操作レバーの一端につまみと、他端に長孔を設け、固定シャーシの前面板に回動自在に軸支する。一方、受光ユニットを取付けた回転シャーシを設ける。回転シャーシは回転軸を介し固定シャーシの前面板に回動自在に保持する。つまみを左右に回すと、長孔に係合した駆動片が傾き、回転シャーシが上下に回動する。このような構成によって、受光ユニットの光軸は上方又は下方に傾斜し、光ビームの受光範囲を任意に設定することができる。
【先行技術文献】
【特許文献】
【０００５】
【特許文献１】特開平６−１５２５３３号公報
【発明の概要】
【発明が解決しようとする課題】
【０００６】
ところで、上述のような狭額縁化に加え、筐体（特にフロントキャビネット）のデザインの制約の観点から、赤外線等の無線通信ユニットを本体前面に専用スペースを確保して配置することが困難になるケースがあった。
【０００７】
特許文献１に開示の技術では、スピーカーボックス内に、受光部を配置しているが、この技術をそのまま適用することは、密閉性の確保や製造時の作業性等の観点から、また近年のように狭額縁化や薄型化の進展が著しい状況においては、現実的ではなく別の技術が必要とされていた。
【０００８】
本発明は以上のような状況に鑑みなされたものであって、上記課題を解決する技術を提供することを目的とする。
【課題を解決するための手段】
【０００９】
本発明の薄型表示装置は、表示部の外縁のキャビネットと、前記キャビネットの背面を覆うように配置されるスピーカーボックスと、前記キャビネットと前記スピーカーボックスとに囲まれる領域の内部に配置される無線通信ユニットと、前記無線通信ユニットを固定するためのアタッチメントと、を有し、前記アタッチメントが、前記スピーカーボックス及び前記キャビネットを備えて構成するエンクロージャーの一部の構成となって、前記エンクロージャーの密閉を確保している。
また、前記アタッチメントは、前記キャビネットに固定されるアタッチメントベース部と、前記アタッチメントベース部から延出し端部に前記無線通信ユニットを固定する固定用リブとを有してもよい。
【発明の効果】
【００１０】
本発明によれば、スピーカーを備える薄型表示装置において、スピーカーが配置されるスペースを利用して無線通信ユニットを取り付けることができる技術を提供することができる。
【図面の簡単な説明】
【００１１】
【図１】実施形態に係る、液晶テレビを示す図である。
【図２】実施形態に係る、背面にスピーカーボックスカバーが取り付けられた状態のフロントカバーを示す図である。
【図３】実施形態に係る、背面にスピーカーボックスカバーが取り付けられた状態のフロントカバーの断面図（図２のＸ１−Ｘ１断面図）である。
【図４】実施形態に係る、背面にスピーカーボックスカバーが取り付けられた状態のフロントカバーの断面図（図２のＸ３−Ｘ３断面図）である。
【図５】実施形態に係る、背面のスピーカーボックスカバーが取り外された状態のフロントカバーを示す図である。
【図６】実施形態に係る、背面のスピーカーボックスカバーが取り外された状態のフロントカバーの断面図（図５のＹ１−Ｙ１断面図）である。
【図７】実施形態に係る、背面のスピーカーボックスカバーが取り外された状態のフロントカバーの断面図（図５のＹ３−Ｙ３断面図）である。
【図８】実施形態に係る、ＩＲユニットが取り付けられた状態のアタッチメントの斜視図である。
【図９】実施形態に係る、ＩＲユニットが取り付けられた状態のアタッチメントを示す図である。
【図１０】実施形態に係る、ＩＲユニットが取り外された状態のアタッチメントを示す図である。
【図１１】実施形態に係る、ＩＲユニット用のアタッチメントが配置されるアタッチメント配置部が形成された領域を拡大して示す図である。
【発明を実施するための形態】
【００１２】
次に、本発明を実施するための形態（以下、単に「実施形態」という）を、図面を参照して具体的に説明する。
【００１３】
図１は液晶テレビ１０を示す図である。図示のように、液晶テレビ１０は、表示パネル１２の下側領域にフロントカバー２０を備えている。また、フロントカバー２０は、カバー本体２１とカバー取付部２２（図２等参照）とを備える。
【００１４】
カバー本体２１にはスピーカーカバー３０及びトリム３３が配置されている。スピーカーカバー３０の内部には後述するスピーカーユニットが配置される。また、スピーカーカバー３０の図示で左側端部近傍（領域Ａ）には、ＩＲ用カバー７５が取り付けられ、その背面内部側には後述するＩＲユニット７０（図２等を参照）が配置される。ＩＲユニット７０は、リモコンや３Ｄメガネ等との赤外線通信に用いられるユニットである。なお、本実施形態では、薄型表示装置として液晶テレビ１０について例示するが、他に有機ＥＬテレビ等についても適用可能である。
【００１５】
図２は背面にスピーカーボックスカバー４０が取り付けられた状態のフロントカバー２０を示す図である。図２（ａ）は正面図、図２（ｂ）は背面図、図２（ｃ）は底面図、図２（ｄ）は図２（ａ）のＸ２−Ｘ２断面図である。
【００１６】
図３は背面にスピーカーボックスカバー４０が取り付けられた状態のフロントカバー２０の断面図であって、図２（ａ）のＸ１−Ｘ１断面図である。図４は背面にスピーカーボックスカバー４０が取り付けられた状態のフロントカバー２０の断面図であって、図２（ｂ）のＸ３−Ｘ３断面図である。
【００１７】
図５は背面のスピーカーボックスカバー４０が取り外された状態のフロントカバー２０を示す図である。図５（ａ）は正面図、図５（ｂ）は背面図、図５（ｃ）は底面図、図５（ｄ）は図５（ａ）のＹ２−Ｙ２断面図である。なお、図５（ａ）〜（ｄ）は、上述の図２（ａ）〜（ｄ）に対応する。
【００１８】
図６は背面のスピーカーボックスカバー４０が取り外された状態のフロントカバー２０の断面図であって、図５（ａ）のＹ１−Ｙ１断面図である。図３の状態からスピーカーボックスカバー４０を取り外した状態の図である。図７は背面のスピーカーボックスカバー４０が取り外された状態のフロントカバー２０の断面図であって、図５（ｂ）のＹ３−Ｙ３断面図である。図４の状態からスピーカーボックスカバー４０を取り外した状態の図である。
【００１９】
例えば図２に示すように、フロントカバー２０の背面には左右の２つのスピーカーボックスカバー４０と、それらの間の背面カバー５０とが配置され取り付けられている。フロントカバー２０、スピーカーボックスカバー４０及び背面カバー５０は樹脂成形品である。
【００２０】
スピーカーボックスカバー４０の内部、より詳細にはフロントカバー２０とスピーカーボックスカバー４０で覆われた空間の内部に第１のスピーカー本体４７及び第２のスピーカー本体４８が配置されている。
【００２１】
第１のスピーカー本体４７が配置される領域と、第２のスピーカー本体４８が配置される領域は独立した空間として形成されている。つまり、第１のスピーカー本体４７が配置される領域は、フロントカバー２０及びスピーカーボックスカバー４０によってスピーカシステムの第１のスピーカーボックス４５（エンクロージャー）を形成している。同様に、第２のスピーカー本体４８が配置される領域は、フロントカバー２０とスピーカーボックスカバー４０によって第２のスピーカーボックス４６を形成している。
【００２２】
一方の第１のスピーカーボックス４５（ここでは図２（ａ）または図２（ｄ）の図示左側の第１のスピーカーボックス４５）の内部にはＩＲユニット７０が配置される。具体的には、カバー本体２１の裏面の所定の領域にリブ状のアタッチメント配置部２５が形成されている。アタッチメント配置部２５に、ＩＲユニット７０が取り付けられたアタッチメント６０が固定される。その結果、図示左側の第１のスピーカーボックス４５では、アタッチメント配置部２５がエンクロージャーの一部構造として機能する。
【００２３】
図８はＩＲユニット７０が取り付けられた状態のアタッチメント６０の斜視図である。
【００２４】
図９はＩＲユニット７０が取り付けられた状態のアタッチメント６０を示す図である。図９（ａ）は正面図、図９（ｂ）は底面図、図９（ｃ）は図９（ａ）のＺ１−Ｚ１断面図、図９（ｄ）は図９（ａ）のＺ２−Ｚ２断面図である。
【００２５】
図１０はＩＲユニット７０が取り外された状態のアタッチメント６０を示す図である。図１０（ａ）は正面図、図１０（ｂ）は平面図、図１０（ｃ）は底面図、図１０（ｄ）は背面図、図１０（ｅ）は左側面図、図１０（ｆ）は右側面図、図１０（ｇ）は図１０（ａ）のＷ１−Ｗ１断面図である。
【００２６】
図１１はＩＲユニット７０用のアタッチメント６０が配置される略Ｌ字形状のアタッチメント配置部２５が形成される領域を拡大して示す図である。
【００２７】
アタッチメント６０は樹脂成形品であって、板状のアタッチメントベース部６１と、アタッチメントベース部６１から前方に垂直に延出するリブ構造の第１及び第２の固定用リブ６２、６３及び第１及び第２のガイド壁６７、６８を有している。
【００２８】
より具体的には、アタッチメントベース部６１は略Ｌ字形状（図９等では逆Ｌ字形状）であって、屈曲部分の内側領域には固定用開口６５が形成されている。アタッチメントベース部６１の前面側には垂直に第１及び第２の固定用リブ６２、６３が延出して形成されている。より具体的には、Ｌ字形状の横に延びる部分に対応する領域の右側及び下側の外縁付近に第１の固定用リブ６２が形成されている。また、Ｌ字形状の横に延びる部分の左側及び上側部分に第２の固定用リブ６３が形成されている。
【００２９】
第１及び第２の固定用リブ６２、６３は同じ高さに形成されており、その先端部分にＩＲユニット７０の基板面が当接して配置される。また、ＩＲユニット７０の基板を固定するために、第１及び第２の固定用リブ６２、６３にはそれぞれツメ状の係止部６２ａ、６３ａが形成されている。なお、ＩＲユニット７０の基板には、係止部６２ａ、６３ａが係止するための係止凹部７２、７３が形成されている。また、第１の固定用リブには位置決め片６２ｂが形成されている。
【００３０】
また、Ｌ字形状の縦に延びる領域の右側の領域に第１のガイド壁６７が形成され、左側の領域に第２のガイド壁６８が形成されている。第１のガイド壁６７は、第１の固定用リブ６２と連続して形成されているが、第１の固定用リブ６２の高さより低く形成されている。同様に、第２のガイド壁６８は、第２の固定用リブ６３と連続して形成されているが第２の固定用リブ６３の高さより低く形成されている。第１及び第２のガイド壁６７、６８は、配線用の線整形の構造であって、ＩＲユニット７０の配線を図４や図７に示す配線用開口２８にガイドする。
【００３１】
また、第１の固定用リブ６２の左側部分は、第２の固定用リブ６３と所定距離分離するように形成されている。つまり、Ｌ字形状の横に延びる部分の左側端部近傍には第１の固定用リブ６２が形成されていない。
【００３２】
したがって、ＩＲユニット７０が第１及び第２の固定用リブ６２、６３に配置された状態で、アタッチメント６０の右上から左下に向かう連通経路が形成される。連通経路の右上部分は上述の配線用開口２８に連絡する。
【００３３】
また、アタッチメントベース部６１の裏面側にはボックスカバー固定用ボス６９が形成されており、スピーカーボックスカバー４０の固定の為にネジが締結される。
【００３４】
アタッチメント６０のアタッチメントベース部６１がアタッチメント配置部２５に取り付けられた状態で、第１のスピーカーボックス４５の密閉状態が確保されている。つまり、アタッチメント配置部２５の前方部分には、ＩＲユニット７０が配置される。そして、さらにその前方には、ＩＲ用開口２７が形成されＩＲ用カバー７５が取り付けられる。また、フロントカバー２０にはＩＲユニット７０の配線を行うためにいくつかの開口が形成される。したがって、アタッチメントベース部６１が無い等の密閉を考慮されていないと、第１のスピーカーボックス４５のエンクロージャーとしての機能が不適切となってしまう。しかし、本実施形態では、第１のスピーカーボックス４５の密閉状態が確保できる。
【００３５】
また、ＩＲユニット７０には、所定の回路が形成された基板上に赤外線送受信素子が配置されている。第１及び第２の固定用リブ６２、６３の先端部分にＩＲユニット７０が配置されるので、ＩＲ用カバー７５のすぐ近くまでＩＲユニット７０の赤外線送受信素子を位置させることができる。
【００３６】
本実施形態の様に、ＩＲユニット７０が液晶テレビ１０の左右方向中央ではなく左右の端部に配置される場合には、指向性等の通信特性の観点からフロントカバー２０の表面ぎりぎりまで近づけることが好ましい。この点でも、本実施形態では良好な性能を実現できる。また、赤外線送受信素子等の変更によってＩＲユニット７０の高さ等の形状に変化があった場合でも、第１及び第２の固定用リブ６２、６３のみの変更である程度対応可能である。そのため、フロントカバー２０の設計変更を避け、アタッチメント６０のみの設計変更、つまり、小さな部品設計変更のみで対応可能である。
【００３７】
また、第１のスピーカーボックス４５において、アタッチメント配置部２５にシールカバー（ＳＥＡＬカバー）として機能するアタッチメント６０を用いてＩＲユニット７０を配置している。その結果、スピーカーユニットの性能を所望に確保することができる。つまり、アタッチメント６０のアタッチメントベース部６１が第１のスピーカーボックス４５のエンクロージャーの一部としての構造となることで、ＩＲユニット７０の配置構造にともない開口が形成され密閉性が低下してしまうことから回避している。
【００３８】
なお、スピーカーボックス（第１及び第２のスピーカーボックス４５、４６）の特性を決める要素として、スピーカーボックス内の容積がある。スピーカーの周波数特性及び出力は、スピーカーボックス内の空気の動きによって変化するので、ステレオスピーカーにおいては、左右のスピーカー特性は極力同一にする必要がある。スピーカーボックス内に無線通信ユニットであるＩＲユニット７０を配置する際、無線通信ユニットの設置によって、スピーカーボックスの容積や内部形状が左右で相違しないよう配慮する必要がある。つまり、ＩＲユニット７０の配置の有無に拘わらず、スピーカーボックスの容積や内部形状が同一であるようにする必要がある。そこで本実施形態では、一方のスピーカーの端部に上述のようにＩＲユニット７０を配置して、アタッチメント６０（シールカバー）を取り付けた後は、左右両方のスピーカーの端部形状（ここでは左右両方の第１のスピーカーボックス４５の内部形状）が同一となる構造を採用している。その結果、左右のスピーカーボックスの容積や内部形状が同一となり、スピーカーの音質品位を適正に保つことができる。同一構造とするために、ＩＲユニット７０が配置されない側のフロントカバー２０の形状が、ＩＲユニット７０が配置される側の構造、つまりアタッチメント６０（アタッチメントベース部６１）の構造に一致されて成形されてもよい。また、ＩＲユニット７０が配置されない側にも、ＩＲユニット７０が配置される側と同様の構造が採用されてもよい。つまり、フロントカバー２０の背面構造（スピーカーボックス部分）は左右同一として、一方はＩＲユニット７０を取り付けたアタッチメント６０が配置され、他方にはＩＲユニット７０を取り付けないアタッチメント６０のみが配置される構造としてもよい。
【００３９】
また、ＩＲユニット７０をフロントカバー２０表面ぎりぎりまで配置させる場合、従来の一般的な技術であれば、治具等を用いて慎重に作業する必要があった。しかし、本実施形態では、ＩＲユニット７０が取り付けられたアタッチメント６０をアタッチメント配置部２５に配置・固定するだけで、所望の位置、つまりフロントカバー２０（ＩＲ用カバー７５）ぎりぎりまで配置させることができ、作業性の向上が図られる。
【００４０】
さらに、アタッチメント６０にＩＲユニット７０が配置されるので、音声出力時の基板共振によるいわゆるビビり（振動・騒音）を回避できる。
【００４１】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００４２】
例えば、本実施形態では無線通信ユニットとしてＩＲユニット７０を例示したが、無線ＬＡＮやブルートゥース（登録商標）等の他のタイプの無線通信ユニットにも適用することができる。また、第１のスピーカーボックス４５等の密閉性確保の観点から、各種構造部材の取り付け部分に粘着性ゴム材が設けられてもよい。また、本実施形態は、フロントキャビネットの下側部分が分離したフロントカバーに適用しているが、当然にフロントカバーが分離していないタイプのキャビネットにも適用可能である。
【符号の説明】
【００４３】
１０  液晶テレビ
１２  表示パネル
２０  フロントカバー（キャビネット）
２１  カバー本体
２２  カバー取付部
２５  アタッチメント配置部
２７  ＩＲ用開口
２８  配線用開口
３０  スピーカーカバー
３３  トリム
４０  スピーカーボックスカバー
４５  第１のスピーカーボックス
４６  第２のスピーカーボックス
４７  第１のスピーカー本体
４８  第２のスピーカー本体
５０  背面カバー
６０  アタッチメント
６１  アタッチメントベース部
６２  第１の固定用リブ
６２ａ、６３ａ  係止部
６２ｂ  位置決め片
６３  第２の固定用リブ
６５  固定用開口
６７  第１のガイド壁
６８  第２のガイド壁
６９  ボックスカバー固定用ボス
７０  ＩＲユニット
７２、７３  係止凹部
７５  ＩＲ用カバー
【図１】
2014233034.tif 000003
【図２】
2014233034.tif 000004
【図３】
2014233034.tif 000005
【図４】
2014233034.tif 000006
【図５】
2014233034.tif 000007
【図６】
2014233034.tif 000008
【図７】
2014233034.tif 000009
【図８】
2014233034.tif 000010
【図９】
2014233034.tif 000011
【図１０】
2014233034.tif 000012
【図１１】
2014233034.tif 000013
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
表示部の外縁のキャビネットと、
前記キャビネットの背面を覆うように配置されるスピーカーボックスと、
前記キャビネットと前記スピーカーボックスとに囲まれる領域の内部に配置される無線通信ユニットと、
前記無線通信ユニットを固定するためのアタッチメントと、
を有し、
前記アタッチメントが、前記スピーカーボックス及び前記キャビネットを備えて構成するエンクロージャーの一部となって、前記エンクロージャーの密閉を確保し、
前記キャビネットは、前記エンクロージャーの一部を構成するとともに、背面に前記アタッチメントが配置される壁面状で所定領域を囲むように形成されたアタッチメント配置部を有し、
前記アタッチメントは、
前記キャビネットのアタッチメント配置部に固定されるアタッチメントベース部と、
前記アタッチメントベース部から前方向に延出し、延出した端部に前記無線通信ユニットを固定する固定用リブと
を有することを特徴とする薄型表示装置。
【手続補正２】
【補正対象書類名】明細書
【補正対象項目名】０００９
【補正方法】変更
【補正の内容】
【０００９】
本発明の薄型表示装置は、表示部の外縁のキャビネットと、前記キャビネットの背面を覆うように配置されるスピーカーボックスと、前記キャビネットと前記スピーカーボックスとに囲まれる領域の内部に配置される無線通信ユニットと、前記無線通信ユニットを固定するためのアタッチメントと、を有し、前記アタッチメントが、前記スピーカーボックス及び前記キャビネットを備えて構成するエンクロージャーの一部となって、前記エンクロージャーの密閉を確保し前記キャビネットは、前記エンクロージャーの一部を構成するとともに、背面に前記アタッチメントが配置される壁面状で所定領域を囲むように形成されたアタッチメント配置部を有し、前記アタッチメントは、前記キャビネットのアタッチメント配置部に固定されるアタッチメントベース部と、前記アタッチメントベース部から前方向に延出し、延出した端部に前記無線通信ユニットを固定する固定用リブとを有する。